(57)【特許請求の範囲】
【請求項１】
藻類を活着させて生育するための生育部材本体を具備する藻類の生育部材であって、
表面上に藻類の胞子等を付着させる前記生育部材本体を、無機フィラーを含有する樹脂にて構成しており、海中での耐食性に優れ軽量でありながら機械的強度が高いことを特徴とする藻類の生育部材。
【請求項２】
樹脂が、繊維をさらに含有することを特徴とする請求項１記載の藻類の生育部材。
【請求項３】
前記生育部材本体を、射出成形により成形することを特徴とする請求項１又は２記載の藻類の生育部材。
【請求項４】
前記生育部材本体が、無機フィラーを５０重量％以上含有することを特徴とする請求項１乃至３のいずれかに記載の藻類の生育部材。
【請求項５】
前記無機フィラーが、海中に存在する資源に由来する無機フィラーなどの天然に産出される無機フィラーであることを特徴とする請求項１乃至４のいずれかに記載の藻類の生育部材。
【請求項６】
握った状態で操作可能な操作部と、前記生育部材本体を海底に保持する台座に設けたボルトに取り付けるためのナット部とを有し、
前記ナット部と前記ボルトとを螺合させた状態で前記操作部を操作することにより、前記生育部材本体を前記ボルトに着脱可能に固定する止着具を具備し、
前記止着具を、無機フィラーを含有する樹脂にて構成していることを特徴とする請求項１乃至５のいずれかに記載の藻類の生育部材。
【請求項７】
前記生育部材本体に、当該生育部材本体を水中に吊り下げるための吊下げ具を取り付けるための取付部を設けていることを特徴とする請求項１乃至６のいずれかに記載の藻類の生育部材。
【請求項８】
前記生育部材本体の表面上に突起部を形成し、これら突起部に藻類の胞子等を付着させた種糸を掛け回すことによって、種糸を取り付けるように構成していることを特徴とする請求項１乃至７のいずれかに記載の藻類の生育部材。
【請求項９】
前記生育部材本体の表面において複数の前記突起部を避けた中央部に、当該生育部材本体を水中に吊り下げるための吊下げ具を当該生育部材本体の表面に添接させる添接路を形成していることを特徴とする請求項８記載の藻類の生育部材。
【請求項１０】
前記生育部材本体の突起部又は前記止着具に、前記突起部に掛け回された種糸の端部を差し込んで固定する切欠部を形成していることを特徴とする請求項８又は９記載の藻類の生育部材。
【発明の詳細な説明】
【技術分野】
【０００１】
本発明は、藻場を形成する藻類を生育するための生育部材に関するものである。
【背景技術】
【０００２】
従来、磯焼けなどにより消失した藻場をより効率よく回復し、あるいは従前は藻場が存在しなかった箇所に新たに藻場を造成して優良な漁場を創出する方策として、主として藻類の生育機能と海底に固定するための台座機能とを分けて考慮し、生育部材と台座部材とを着脱可能に取り付けられるようにしたいわゆる着脱式藻場増殖礁が考えられている。この着脱式藻場増殖礁では、生育部材を用いて生育に適した生育ゾーンで藻類を胞子から初期培養し或いは幼芽から中間培養し、藻類がある程度まで成育すれば藻場を造成すべき造成ゾーンに生育部材を移設して台座部材に取り付けることによって藻場増殖礁を形成するようにしたものである。（特許文献１参照）。
【特許文献１】特許第３５３２８６５号公報
【発明の開示】
【発明が解決しようとする課題】
【０００３】
しかしながら、前記生育部材はコンクリートにて形成されることが多く、量産性等に劣るという不具合がある。例えば、コンクリートの流し込み成形では成形に要する時間はコンクリートの硬化時間に依存するため、通常、１個を製造するために１日程度もかかってしまう。更に、量産に際しては１０個から１０００個というような相当数の型枠を使用しなくてはならないため、煩雑な製造作業を強いられていた。
【０００４】
一方、当該生育部材を、例えば、生育部材をロープ等に括りつけ海中に吊り下げて藻類を胞子から初期培養し、ある程度まで生育するような垂下式中間育成システム等に採用する場合には、当該生育部材がコンクリート製であるがゆえ重く扱いづらかった。
【課題を解決するための手段】
【０００５】
そこで、本発明の生育部材は、藻類を活着させて生育するための生育部材本体を具備する藻類の生育部材であって、表面上に藻類の胞子等を付着させる前記生育部材本体を、無機フィラーを含有する樹脂にて構成しており、海中での耐食性に優れ軽量でありながら機械的強度が高いことを特徴とする。
【０００６】
これにより、前記生育部材本体を射出成形等により簡易に製造することが可能となり、また、硬化時間も短くて済むため通常１個につき１分程度で製造することができ量産性を高めることができる。加えて、用意する型枠は、通常１個で済むため作業効率を上げることができる。更に、前記生育部材本体を海中での耐食性に優れ、軽量でありながら機械的強度が高い部材とすることが可能となる。よって、取り扱い性に優れ、例えば垂下式中間育成システム等にも好適に利用することができる。
【０００７】
また、具体的には、樹脂が、繊維をさらに含有するものや、前記生育部材本体を、射出成形により成形することが望ましい。
【０００８】
加えて、環境への負荷を抑えるためには、前記生育部材本体に含有する無機フィラーを５０重量％以上とすることや、当該無機フィラーを、天然に産出される無機フィラー、望ましくは、海中に存在する資源に由来する無機フィラーとすることが考えられる。
【０００９】
更に、握った状態で操作可能な操作部と、前記生育部材本体を海底に保持する台座に設けたボルトに取り付けるためのナット部とを有し、
前記ナット部と前記ボルトとを螺合させた状態で前記操作部を操作することにより、前記生育部材本体を前記ボルトに着脱可能に固定する止着具を具備することで、台座への取り付け作業を円滑に行うことができると共に、台座への堅強な取付状態を維持することが可能になる。加えて、前記止着具を、無機フィラーを含有する樹脂にて構成することで、止着具も海中での耐食性に優れ、軽量でありながら機械的強度が高い部材とすることができる。
【００１０】
また、前記生育部材本体に、当該生育部材本体を水中に吊り下げるための吊下げ具を取り付けるための取付部を設けることで、例えば生育部材本体のみを海中に吊り下げて藻類を胞子から初期培養等し藻類をある程度まで生育するような方法を容易に実現できる。
【００１１】
更に、前記生育部材本体の表面上に突起部を形成し、これら突起部に藻類の胞子等を付着させた種糸を掛け回すことによって種糸を取り付けるように構成することで、生育部材本体に藻類が着生し成育すると、藻類は生育部材本体に形成した突起部を抱きかかえるように根を張ることができるため、藻類を安定的に生育部材本体に活着させることが可能となる。
【００１２】
加えて、前記生育部材本体の表面において複数の前記突起部を避けた中央部に、当該生育部材本体を水中に吊り下げるための吊下げ具を当該生育部材本体の表面に添接させる添接路を形成することにより、前記吊下げ具が突起部と干渉せず良好な取付状態を実現できるようにしている。
【００１３】
更に、突起部に掛け回した種糸を簡単に前記生育部材に固定するためには、前記生育部材本体の突起部又は前記止着具に、前記突起部に掛け回された種糸の端部を差し込んで固定する切欠部を形成することが望ましい。
【発明の効果】
【００１４】
以上説明したように、量産性に優れ、製造時の作業効率を向上させた生育部材本体とすることが可能となり、更に、当該生育部材本体を通常の樹脂成形品と比較して環境負荷の小さい部材とすることができる。また、生育部材本体を海中での耐食性に優れ、軽量でありながら機械的強度が高い部材とすることが可能となる。よって、取り扱い性に優れ、例えば垂下式中間育成システム等にも好適に利用することができる。
【発明を実施するための最良の形態】
【００１５】
以下、本発明の一実施形態を、図面を参照して説明する。
【００１６】
本発明の藻類増殖部材２（本発明の「生育部材」に相当する。）を採用した増殖礁Ａは、海底に沈設して使用されるものであって、例えば、図１に示すように、アワビ、トコブシ、サザエ、ウニ等の磯根資源を稚体から成体まで成育・増殖させることを主目的とする磯根資源増殖ブロック１（本発明の「台座」に相当する。）と、アラメ、クロメ、カジメ、ホンダワラ等の藻類を生育・増殖させて藻場を形成することを主目的とする藻類増殖部材２と、藻類増殖部材２を磯根資源増殖ブロック１に着脱可能に取り付けるための止着具Ｘと、海底に接地されてこれら磯根資源増殖ブロック１及び藻類増殖部材２を支持するコンクリートベース３と、磯根資源増殖ブロック１とコンクリートベース３との間に配する中間取付部材４と、磯根資源増殖ブロック１及び藻類増殖部材２を覆うことで覆った内部空間に稚体の成育・増殖に適した磯根資源成育領域及び藻類の生育・増殖に適した藻類生育領域Ｐを形成する防護ネット装置５と、コンクリートベース３に設けた貫通孔に対して着脱可能な貫通孔用部材６とを具備して成る。以下、各部を具体的に説明する。
【００１７】
磯根資源増殖ブロック１は、図１、図２に示すように、平面視ほぼ正方形の平板の下に、下面を上面よりも小さいほぼ正方形状とした正四角錐台を一体に連続させた形状をなすコンクリート製ブロックからなる本体部１１を主体としている。そして、その上面に、藻類増殖部材２を取付可能に設定している。なお、当該上面に、さらに他の磯根資源増殖ブロック１を取り付けることもできる。また、この本体部１１の下端部には、コンクリートベース３のブロック取付部（図示せず）に挿入するアンカー筋１２を下方へ鉛直に突出させて埋設してある。すなわち、このアンカー筋１２がブロック取付部内のバネワッシャに引っ掛かる構成により、磯根資源増殖ブロック１が中間取付部材４を介してコンクリートベース３に固定されることとなる。さらに、本体部１１の上端部には、隣接する磯根資源増殖ブロック１に向けて突出する半球状の突起１３が形成してあり、この突起１３により隣接する本体部１１同士が直接衝突して欠けたり割れたりすることを防止している。なお、この突起１３は、ブロック取付部３４に軸着された磯根資源増殖ブロック１が水平方向へ回転することを抑制する機能と、隣接する磯根資源増殖ブロック１の位置決め機能をも有している。また、本体部１１の上面には、藻類増殖部材２を着脱可能に取り付けられるようにするために、複数（図示例では４本）のステンレス製のボルト１４を起立姿勢で埋設してある。
【００１８】
藻類増殖部材２は、図２に示すように、藻類を生育するための藻類増殖部材本体２１（本発明の「生育部材本体」に相当する。）と、当該藻類増殖部材本体２１に生育した藻類が根を張るための根張部２２１を有する根張用スペーサ２２とを具備し、当該根張用スペーサ２２を前記藻類増殖部材本体２１と、当該藻類増殖部材本体２１を海底Ｐに保持する重しとしてのアンカー機能を有する磯根資源増殖ブロック１との間に、着脱可能に介在させる構成としている。
【００１９】
藻類増殖部材本体２１は、上面に砂利の形状を模した浅い凹凸形状を転写した逆勾配を有する凹凸を形成し、アラメ等の海藻Ｂ０が根で凹凸を抱え込んで活着しやすいように構成されている円盤型プレートであり、具体的には、図２に示すように、薄板状の基材部２１１の表面上に複数の突起部２１２を形成し、これら突起部２１２にアラメ等の海藻Ｂ０の胞子や遊走子、ホンダワラの幼胚等を付着させた種糸Ｙを掛け回して取り付ける構成を有している。
【００２０】
更に、当該藻類増殖部材本体２１２は、図４に示すように、前記種糸Ｙを表面に巻き付けた状態で海中に吊り下げて海藻Ｂ０を育成する垂下式中間育成システムに適しているため、図５に示すように、その表面上に当該藻類増殖部材本体２１を水中に吊り下げるための吊下げ具Ｈを構成するロープＨ１を当該藻類増殖部材本体２１２の表面に添接させる添接路２１３、２１４を形成すると共に、当該吊下げ具Ｈに当該藻類増殖部材本体２１２を取り付けるための吊下げ具取付部２１５を設けている。
【００２１】
突起部２１２は、前記基材部２１１の片面上に凸の形状をなすように部分的に盛り上げた隆起部であり、前記添接路２１３、２１４を回避した位置に複数設けている。また、当該突起部２１２には、図６に示すように、掛け回した種糸Ｙの端部を差し込んで固定するための第一の切欠部２１２Ａを設けている。
【００２２】
当該第一の切欠部２１２Ａは、前記突起部２１２の基端近傍に設けたものであり、前記突起部２１２の外周面側から中心に向って突起部２１２の一部を切り欠いて形成している。そして、開口させた外周面側から前記突起部２１２に掛け回された種糸Ｙを当該突起部２１２の中心に向って差し入れることで当該種糸Ｙの端部を固定できる構成としている。
【００２３】
添接路２１３、２１４は、図４に示すように、複数の突起部２１２を避けた中央部に設けた藻類増殖部材本体２１の平面的な表面上の部位であり、藻類増殖部材本体２１を吊り下げるロープＨ１を添接路２１３、２１４に添接させて取り付けた状態で海中に吊す際に、そのロープＨ１を前記表面に沿って幅方向に亘って通過させる。また、本実施の形態においては、藻類増殖部材本体２１の中心位置にて直交する第一の添接路２１３と第二の添接路２１４とを形成している。
【００２４】
吊下げ具取付部２１５は、前記藻類増殖部材本体２１を前記吊下げ具Ｈに取り付けるための取付部である。本実施の形態においては、前記第一の添接路２１３と第二の添接路２１４とが交わる位置、つまり、当該藻類増殖部材本体２１の略中央部に厚み方向に貫通する直径２ＣＭ程度の貫通孔であり、当該貫通孔に前記ロープＨ１を通すことで、藻類増殖部材本体２１を吊下げ具Ｈに取り付けられるようにしている。
【００２５】
また、当該吊下げ具取付部２１５は、前記藻類増殖部材本体２１を磯根資源増殖ブロック１に取り付けるための取付部としての機能も有している。具体的には、吊下げ具取付部２１５である貫通孔に磯根資源増殖ブロック１上に設けたボルト１４を挿通させた状態で止着具Ｘ及び薄肉略リング状を成すゴム製の弾性体（図示せず）を用いて藻類増殖部材本体２１を磯根資源増殖ブロック１の上方に着脱可能に固定する。
【００２６】
従って本実施形態の場合、当該吊下げ具取付部２１５を用いてロープＨ１に藻類増殖部材本体２１を吊下げる垂下式中間育成システムを採用し、この藻類増殖部材本体２１を、海藻Ｂ０が海底でウニ、巻貝、ウミウシ等の植食生物による食害被害に遭いにくくなる大きさ、すなわちフロロタンニン等の苦み成分を分泌できる大きさである目視により海藻Ｂ０が３〜１０ＣＭとなるまで生長させ、その後当該藻類増殖部材本体２１を海中から引き上げて作業船上で当該藻類増殖部材本体２１を磯根資源増殖ブロック１のボルト１４に根張用スペーサ２２を介在させた状態で着脱可能に取り付ける。
【００２７】
根張用スペーサ２２は、垂下式中間育成システムにて前記藻類増殖部材本体２１の上に育成した藻類の根を広げるために必要となる根張部２２１を確保するために、前記藻類増殖部材本体２１と前記磯根資源増殖ブロック１とを離間させる機能を有するものであり、前記藻類増殖部材本体２１と同様に、略中央部に厚み方向に貫通する直径２ＣＭ程度の貫通孔を形成し、当該貫通孔に前記磯根資源増殖ブロック１上に設けたボルト１４を挿通させた状態で止着具Ｘを用いて前記藻類増殖部材本体２１と前記磯根資源増殖ブロック１との間に着脱可能に固定される。また、当該根張用スペーサ２２を手で取り扱い得る程度の大きさ及び重量（約１．５ＫＧ程度）を有するものとすることで、運搬等の取り扱い、メンテナンスの便を向上するようにしている。
【００２８】
詳述すると、当該根張用スペーサ２２は、図３、図６に示すように、上下左右対称形状を成すコンクリート製の円柱部材であり、前記藻類増殖部材本体２１の下面と略同様の平面形状を有する上面と、当該上面と連続して設けた根張部２２１を形成する側周面と、当該側周面と連続して設けた下面とを有する。
【００２９】
尚、根張用スペーサ２２を藻類増殖部材本体２１と前記磯根資源増殖ブロック１との間に固定した状態で、当該根張用スペーサ２２の上面と前記藻類増殖部材本体２１の下面、当該根張用スペーサ２２の下面と磯根資源増殖ブロック１の上面とが当接するため、取付性（取り付けた時の座り等）を考慮して前記根張用スペーサ２２の上下面及び前記藻類増殖部材本体２１の下面、磯根資源増殖ブロック１の上面を平坦面としている。
【００３０】
根張部２２１は、垂下式中間育成システムにて前記藻類増殖部材本体２１の上に藻類を育成した後、当該藻類増殖部材本体２１に育成した藻類の根を広げて藻類増殖部材２に根付かせるための部位であり、前記藻類増殖部材本体２１に設けた藻類の育成面（上面）と段差無く連続するように形成している。
【００３１】
止着具Ｘは、図３に示すように、握った状態で操作可能な操作部Ｘ２および前記磯根資源増殖ブロック１に設けたボルト１４に取り付けるためのナット部Ｘ３を有し、前記ボルト１４と前記ナット部Ｘ３とを螺合させた状態で前記操作部Ｘ２を操作することにより、前記藻類増殖部材本体２１及び前記根張用スペーサ２２を前記ボルト１４に着脱可能に固定するものである。
【００３２】
詳述すると、略円板状の台座部Ｘ１と、この台座部Ｘ１の上面側に設けた操作部Ｘ２とを具備するものである。また、図６に示すように、当該操作部Ｘ２の基端近傍には、前記藻類増殖部材本体２１に掛け回した種糸Ｙの端部を差し込んで固定するための第二の切欠部Ｘ２１を設けている。具体的には、前記操作部Ｘ２の外周面側から中心に向って操作部Ｘ２の一部を切り欠いて形成している。そして、開口させた外周面側から前記突起部２１２に掛け回された種糸Ｙを操作部Ｘ２の中心に向って差し入れることで当該種糸Ｙの端部を固定できる構成としている。
【００３３】
操作部Ｘ２は、台座部Ｘ１の略中央部から起立する略円柱状の起立部Ｘ２３と、この起立部Ｘ２３を挟み込む位置に設けられ上方に向けて二股に分かれる一対の薄板状の鍔部Ｘ２２とを具備して成るものであって、操作部Ｘ２全体を把持して操作することもできるし、操作部Ｘ２の一部（例えば、一方の鍔部Ｘ２２）を把持して操作することもできる。
【００３４】
また、本実施形態では、台座部Ｘ１の裏面から起立部Ｘ２３の略中央高さ位置にかけてナット部Ｘ３を形成し、このナット部Ｘ３を利用してボルト１４に螺着可能にしている。
【００３５】
ここで、当該止着具Ｘ及び前記藻類増殖部材本体２１の材質について詳述する。
【００３６】
前記止着具Ｘ及び前記藻類増殖部材本体２１は、天然に産出される無機フィラーと、総容量に対し一定量以下の樹脂とを含有する。
【００３７】
具体的には、前記無機フィラーは通常の樹脂と比較して環境への負荷が小さいため、前記無機フィラーの含有率を、５０重量％以上（好ましくは、６０重量％以上、より好ましくは、７０重量％以上）としている。当該無機フィラーの含有率は、例えば衝撃強度など、得られる成形品に必要な物性を鑑みて判断する。また、当該無機フィラーの粒径は、成形に支障が無い程度、例えば、平均粒径数百μｍ以下程度であれば良い。
【００３８】
更に、当該無機フィラーは天然に産出される無機フィラーであり、特に前記止着具Ｘ及び藻類増殖部材本体２１は、自然界、更には海中で使用されるため、当該無機フィラーを海中に存在する資源に由来する無機フィラーとすることが望ましい。
【００３９】
ここで、天然に産出される無機フィラーとしては、珪石粉末、炭酸カルシウム粉末、石灰石粉末、シラス粉末、骨石粉末、珪藻土粉末、粘土粉末等が考えられる。また、海中に存在する資源に由来する無機フィラーとしては、牡蠣、ホタテ、サザエ、赤貝、つぶ貝、アサリ、しじみ等の貝殻粉末や、サンゴ粉末等が挙げられる。
【００４０】
その他、強度向上のための添加物として、弾性率、強度、弾性回復率等の力学特性に優れた短繊維、ウィスカ、フィブリッド等の繊維状のものであり、例えばガラス繊維、炭素繊維、アルミナ繊維、炭化ケイ素繊維、チタン酸カリウムやホウ酸アルミニウム等のウイスカ、ボロン繊維やチタン繊維等の金属繊維、アラミド繊維等の有機繊維、ヤシ、もみがら、ケナフ、麻、木綿、絹や納豆等の天然由来の繊維状物質を止着具Ｘ及び前記藻類増殖部材本体２１に混在することが考えられる。
【００４１】
前記無機フィラーと混合される材料を構成する樹脂は、本実施の形態においては加熱により融解し、冷却すると固化する熱可塑性樹脂を用いる。
【００４２】
具体的には、ポリエチレン、ポリプロピレン、ポリ塩化ビニル、ポリスチレン、シンジオタクチックポリスチレン、ＡＢＳ樹脂、ＡＥＳ樹脂、ポリアミド、ポリアセタール、ポリエステル、ポリカーボネート、変性ポリフェニレンエーテル、ポリスルホン、ポリアリレート、ポリエーテルイミド、ポリアミドイミド、ポリフェニレンサルファイド、液晶ポリエステル、ＰＥＥＫ、ＰＥＮ、パラフィンワックス、モンタンワックス、カルナバワックス、脂肪酸エステル、グリセライト、変性ワックス及びシラン変性ポリオレフィン重合体等、公知の熱可塑性樹脂の中から、耐海水性、耐候性、藻類との相性を鑑みて選定した樹脂を使用する。
【００４３】
尚、特に好ましいものは、シンジオタクチックポリスチレン、ＡＥＳ樹脂である。
【００４４】
前記藻類増殖部材本体２１や止着具Ｘを製造する成形方法としては、射出成形法、押出成形法、加圧成形法等を用いることができるが、これらに限定されるものではなく、公知の成形法を利用することができる。特に射出成形では、量産性に優れ、また製造時の作業が煩雑とならず、更に品質のばらつきが小さい部材を得ることができる。加えて、三次元の任意の形状に精度よく成形できるので、寸法精度の優れた良好な部品を製造することができる。
【００４５】
コンクリートベース３は、図１に示すように、海底において当該増殖礁Ａを安定設置するためのアンカー機能を有する部材であって、コンクリートにより一体形成されたベース本体３１及び三本の支持脚３２から構成されるものを基本構成としている。
【００４６】
中間取付部材４は、図１に示すように、平面視略矩形状を成す薄板状の基板部４１と、この基板部４１の上面に突設した４つの隙間調節用突起部４２とを具備し、これら各部をコンクリートにより一体に形成したものである。
【００４７】
防護ネット装置５は、図１に示すように、コンクリートベース３に立設した柱状部材５１と、これら柱状部材５１を利用して取り付けられる防護ネット５２と、この防護ネット５２を柱状部材５１に留める留め具５３とを具備して成るものである。なお、同図における防護ネット５２及び留め具５３は作図の都合上一部を省略して図示している。以下、各部をより具体的に説明する。
【００４８】
防護ネット５２は、可撓性を有する化繊製のものであって、図１に示すように、４つの柱状部材５１の上端部間を結んでなる面と略同じ大きさを有する上面網５２１と、隣接する柱状部材５１間にそれぞれ配される計４つの起立網５２２とを備えてなり、且つ、上面網５２１の各辺とこれら上面網５２１の各辺にそれぞれ隣接する起立網５２２の辺とを連続させた単一のものである。
【００４９】
そして、上面網５２１の網目寸法を、アイゴ、イスズミ、ブダイ等の藻食性魚類が通過できない程度の大きさに設定している。また、起立網５２２を、上下２段を成すように構成し、下段側の網目寸法を、稚体の通過を妨げ得るとともにヒトデ、タコ等の肉食性海中動物の侵入を防ぎ得る程度に設定する一方、上段側の網目寸法を、下段側の網目寸法よりも拡開させつつ藻食性魚類が通過できない程度の大きさに設定している。さらに、フジツボや貝等の付着物が防護ネット５２に付着することを防止するために防護ネット５２全体にシリコンを塗布している。
【００５０】
また、本実施形態では、留め具５３として、いわゆるインシュロックタイプの結束バンドを用いている。そして、この留め具５３は、カッターナイフや鋏等刃部を有する道具を用いて切断できるよう、一般的な合成樹脂製のものとしている。
【００５１】
貫通孔用部材６は、図１に示すように、剛性のある平面視略矩形状の枠体とこの枠体に周縁部を支持させた化繊製の網部とを備えるものである。そして、当該貫通孔用部材６の網目寸法を、稚体の通過を妨げ得る程度に設定している。また、本実施形態では、フジツボや貝等の付着物が貫通孔用部材６に付着することを防止するために貫通孔用部材６全体にシリコンを塗布している。
【００５２】
次に、藻類増殖部材２を磯根資源増殖ブロック１に取り付ける方法について説明する。
【００５３】
なお、防護ネット５２は、その一部又は全部が柱状部材５１から取り外されており、作業者が、藻類増殖部材２及び磯根資源増殖ブロック１に容易にアクセスできるものとして説明を進めることとする。
【００５４】
まず、図４に示すように、垂下式中間育成システムにて前記藻類増殖部材本体２１の上に藻類を育成した後、当該藻類増殖部材本体２１を海中から引き上げて吊下げ具Ｈから藻類増殖部材本体２１を取り外す。そして、図２に示すように、当該藻類増殖部材本体２１を磯根資源増殖ブロック１のボルト１４に根張用スペーサ２２を介在させた状態で貫通させる。
【００５５】
その後、当該藻類増殖部材本体２１の上から止着具Ｘをボルト１４に嵌め、止着具Ｘの操作部Ｘ２を用いて止着具Ｘを締まる向きへ回すことで、ボルト１４とナット部Ｘ３が螺着し、当該藻類増殖部材本体２１を磯根資源増殖ブロック１に根張用スペーサ２２を介在させた状態で固定することができる。
【００５６】
以上のような藻類増殖部材２の構成を実現することにより、前記藻類増殖部材本体２１を射出成形等により簡易に製造することが可能となり、また、硬化時間も短くて済むため通常１個につき１分程度で製造することができ量産性を高めることができる。加えて、用意する型枠は、通常１個で済むため作業効率を上げることができる。更に、前記藻類増殖部材本体２１を海中での耐食性に優れ、軽量でありながら機械的強度が高い部材とすることが可能となる。よって、取り扱い性に優れ、例えば垂下式中間育成システム等にも好適に利用することができる。
【００５７】
加えて、前記藻類増殖部材本体２１に含有する無機フィラーを５０重量％以上とし、更に、当該無機フィラーを、海中に存在する資源に由来する無機フィラーとしていることで、環境への負荷を抑えることができる。
【００５８】
更に、握った状態で操作可能な操作部Ｘ２と、前記藻類増殖部材本体２１を海底に保持する磯根資源増殖ブロック１に設けたボルトに取り付けるためのナット部Ｘ３とを有し、前記ナット部Ｘ３と前記ボルト部とを螺合させた状態で前記操作部Ｘ２を操作することにより、前記藻類増殖部材本体２１を前記ボルトに着脱可能に固定する止着具Ｘを具備することで、磯根資源増殖ブロック１への取り付け作業を円滑に行うことができると共に、磯根資源増殖ブロック１への堅強な取付状態を維持することが可能となる。加えて、当該止着具Ｘを、無機フィラーを含有する樹脂にて構成しているため、止着具Ｘも海中での耐食性に優れ、軽量でありながら機械的強度が高い部材とすることができる。
【００５９】
加えて、前記藻類増殖部材本体２１に、当該藻類増殖部材本体２１を水中に吊り下げるための吊下げ具Ｈを取り付けるための吊下げ具取付部２１５を設けることで、例えば藻類増殖部材本体２１のみを海中に吊り下げて藻類を胞子から初期培養等し藻類をある程度まで生育するような方法を容易に実現できる。
【００６０】
また、前記藻類増殖部材本体２１の表面上に突起部２１２を形成し、これら突起部２１２に藻類の胞子等を付着させた種糸Ｙを掛け回すことによって種糸Ｙを取り付けるように構成することで、藻類増殖部材本体２１に藻類が着生し成育すると、藻類は藻類増殖部材本体２１に形成した突起部２１２を抱きかかえるように根を張ることができるため、藻類を安定的に藻類増殖部材本体２１に活着させることが可能となる。
【００６１】
加えて、前記藻類増殖部材本体２１の表面において複数の前記突起部２１２を避けた中央部に、当該藻類増殖部材本体２１を水中に吊り下げるための吊下げ具Ｈを当該藻類増殖部材本体２１の表面に添接させる添接路２１３，２１４を形成することにより、前記吊下げ具Ｈが突起部２１２と干渉せず良好な取付状態を実現できるようにしている。
【００６２】
更に、前記藻類増殖部材本体２１の突起部２１２又は前記止着具Ｘに、前記突起部２１２に掛け回された種糸Ｙの端部を差し込んで固定する切欠部２１２Ａ、Ｘ２１を形成しているため、突起部２１２に掛け回した種糸Ｙを簡単に前記藻類増殖部材２に固定することができる。
【００６３】
なお、本発明は上記したこれらの実施形態に限られるものではなく、本発明の趣旨を逸脱しない範囲で種々変形が可能である。
【００６４】
例えば、本実施の形態においては、台座として磯根資源増殖ブロック１を利用しているが、その他、海中に存在する岩などを台座として利用しても良い。
【００６５】
また、図７に示すように、前記藻類増殖部材本体２１が、前記根張用スペーサ２２に対して位置ずれすることを防止する位置ずれ防止手段２３を設けることも考えられる。
【００６６】
具体的には、前記位置ずれ防止手段２３は、前記根張用スペーサ２２に設けた凹部２３１に、前記藻類増殖部材本体２１を嵌合することで、当該藻類増殖部材本体２１が根張用スペーサ２２に対して位置ずれすることを防止する。尚、他の構成については前記実施形態と同様であり、また図７及び以下に示す図８において、前記実施形態と同様構成には前記実施形態と同じ符号を付している。
【００６７】
前記凹部２３１は、前記根張用スペーサ２２の上面（前記藻類増殖部材本体２１との当接面）を、前記藻類増殖部材本体２１の体積分凹ませたものであり、その深さを前記藻類増殖部材本体２１の厚みと略同一とすると共に、その平面視開口形状を前記藻類増殖部材本体２１の平面視形状と略同一としている。
【００６８】
したがって、前記根張用スペーサ２２に前記藻類増殖部材本体２１を嵌め合わせた状態で、前記根張用スペーサ２２の上面と前記藻類増殖部材本体２１の上面とは略面一になると共に、前記根張用スペーサ２２の凹部２３１内周面と前記藻類増殖部材本体２１の外周面とが当接して両者間の位置ずれ、つまり、水平方向への位置ずれを防止することができる。
【００６９】
よって、前記根張用スペーサ２２を前記藻類増殖部材本体２１と前記磯根資源増殖ブロック１との間に介在させ、前記根張用スペーサ２２の根張部２２１まで張り巡らせた前記藻類増殖部材本体２１の上に生育した藻類ＢＯの根を、例えば、前記藻類増殖部材本体２１等の着脱の際に切ってしまう恐れがない。
【００７０】
更に、上述の通り、前記根張用スペーサ２２に設けた凹部２３１に前記藻類増殖部材本体２１を嵌合することで当該藻類増殖部材本体２１が根張用スペーサ２２に対して位置ずれすることを防止しているため、当該位置ずれ防止手段２３を簡易な構成とすることが可能となる。
【００７１】
また、図８に示すように、第二位置ずれ防止手段２４として、前記根張用スペーサ２２に凸部２４１を設け、前記藻類増殖部材本体２１に前記凸部２４１を嵌め合わせる開孔２４２を設けることで、より強固に位置ずれを防止することができる。
【００７２】
具体的には、前記根張用スペーサ２２の凹部２３１の底面に上方に向けて突出する円柱状の凸部２４１を一対設け、前記藻類増殖部材本体２１に前記凸部２４１の直径と略同様の直径を有する一対の開孔２４２を設ける。
【００７３】
尚、図８に記載する実施形態においては、当該第二位置ずれ防止手段２４と、前記根張用スペーサ２２に設けた凹部２３１に前記藻類増殖部材本体２１を嵌合する第一位置ずれ防止手段２３とを有しているが、勿論、当該第二位置ずれ防止手段２３のみを有する構成としても良い。
【００７４】
更には、上記第一位置ずれ防止手段２３や第二位置ずれ防止手段２４の構成に拘らず、他の構成により前記根張用スペーサ２２と前記藻類増殖部材本体２１とを凹凸係合させて両者の位置ずれを防止する位置ずれ防止手段とすることも考えられる。
【００７５】
加えて、上記第一位置ずれ防止手段２３や第二位置ずれ防止手段２４においては、水平方向の位置ずれを防止する構成としているが、垂直方向の位置ずれを防止する構成としても良い。
【図面の簡単な説明】
【００７６】
【図１】本発明の一実施形態に係る増殖礁を示す斜視図。
【図２】同実施形態における止着具及び藻類増殖部材等の取付関係を示す斜視図。
【図３】同実施形態における藻類増殖部材を磯根資源増殖ブロックに取り付けた状態を示す斜視図。
【図４】同実施形態における藻類増殖部材の取り扱い方法を示す模式図。
【図５】同実施形態における止着具及び藻類増殖部材の平面図。
【図６】同実施形態における止着具及び藻類増殖部材の断面図。
【図７】他の実施形態における止着具及び藻類増殖部材の斜視図（ａ）及び断面図（ｂ）。
【図８】他の実施形態における止着具及び藻類増殖部材の斜視図（ａ）及び断面図（ｂ）。
【符号の説明】
【００７７】
Ｂ０・・・藻類（海藻）
Ｈ・・・吊下げ具
Ｘ・・・止着具
Ｘ２・・・操作部
Ｘ３・・・ナット部
Ｘ２１・・・切欠部（第二の切欠部）
Ｙ・・・種糸
１・・・台座（磯根資源増殖ブロック）
２・・・生育部材（藻類増殖部材）
１４・・・ボルト
２１・・・生育部材本体（藻類増殖部材本体）
２１２・・・突起部
２１２Ａ・・・切欠部（第一の切欠部）
２１３・・・添接路（第一の添接路）
２１４・・・添接路（第二の添接路）
２１５・・・取付部（吊下げ具取付部）
【図１】
0004439482.tif 000002
【図２】
0004439482.tif 000003
【図３】
0004439482.tif 000004
【図４】
0004439482.tif 000005
【図５】
0004439482.tif 000006
【図６】
0004439482.tif 000007
【図７】
0004439482.tif 000008
【図８】
0004439482.tif 000009